(57)【特許請求の範囲】
【請求項１】
主アンテナと副アンテナとを有していて、受信電界レベルが所定値以上である状態では前記主アンテナおよび副アンテナを選択的に使用してのダイバーシチ受信を行うが、受信電界レベルが前記所定値未満である弱電界状態では前記主アンテナを使用して受信を行う無線受信機において、
前記主アンテナのマッチングをとる主アンテナマッチング手段と、
この主アンテナマッチング手段の共振周波数を変化させて前記主アンテナのマッチングをずらす主アンテナマッチングずらし手段と、
前記弱電界状態となっていることを検出する弱電界検出手段と、
この弱電界検出手段により前記弱電界状態となっていることが検出されていないときに前記主アンテナマッチングずらし手段を動作させる主アンテナマッチングずらし制御手段とを具備したことを特徴とする無線受信機。
【請求項２】
前記弱電界検出手段は、前記受信電界レベルの検出値に基づいて前記弱電界状態となっていることを検出することを特徴とする請求項１に記載の無線受信機。
【請求項３】
ＣＤＭＡ方式で伝送される信号の受信を行うものであることを特徴とする請求項１に記載の無線受信機。
【請求項４】
前記主アンテナおよび前記副アンテナの選択をフレームエラーレートに基づいて行うことを特徴とする請求項１に記載の無線受信機。
【発明の詳細な説明】
【０００１】
【発明の属する技術分野】
本発明は、ＣＤＭＡ携帯電話機器などに適用されアンテナダイバーシチを用いて受信を行う無線受信機に関する。
【０００２】
【従来の技術】
アンテナダイバーシチは通常、２つのアンテナの受信レベルをおのおの検出し、受信レベルが大きいほうのアンテナを選択して使用する。ところがＣＤＭＡ（Code Division Multiple Access）方式の場合、受信レベルからではいずれのアンテナでの受信品質が良くなるのかを判定することが困難である。
【０００３】
そこでＣＤＭＡ携帯電話機器などにおいてアンテナダイバーシチを実現するための方法として本出願人は、フレームレートエラーがしきい値を越えたことに応じて使用するアンテナを切換える方法を考案した。そしてこのような方法を採用すると、弱電界状態であるためにいずれのアンテナを用いた場合でもフレームレートエラーが大きくなってしまう状況においては、アンテナの切換え制御を正常に行うことができなくなってしまうので、メインアンテナを連続的に使用することとした。
【０００４】
ところで携帯電話機器は、非常に小型であるために２つのアンテナを十分に離隔することが困難である。このため弱電界状態においてメインアンテナのみを使用するようにしても、不使用となっているサブアンテナがメインアンテナに近接して存在しているのであり、このサブアンテナからの干渉を受けてメインアンテナの利得が低下してしまう。すなわち、弱電界状態ではアンテナダイバーシチによる通信品質向上を図ることができないのみならず、メインアンテナの利得がサブアンテナを設けない場合に比べて低下してしまうのであり、この結果、弱電界状態での通話品質が低下してしまうという不具合があった。
【０００５】
また携帯電話機器の場合、メインアンテナはホイップアンテナとなるが、サブアンテナもホイップアンテナとすることは諸事情から困難であることから内蔵アンテナとすることが考えられ、この場合にはアンテナ単体での特性においてもメインアンテナに比べてサブアンテナの利得が低くなる。さらにサブアンテナはメインアンテナの干渉により利得が低下するので、サブアンテナ使用時の通話品質を十分に確保することが困難であった。
【０００６】
【発明が解決しようとする課題】
以上のように従来は、アンテナダイバーシチを行うべく２つのメインアンテナおよびサブアンテナを設けると、これらのアンテナを十分に離隔できない場合にはアンテナ間の干渉により各アンテナの利得が低下し、通話品質が低下してしまうという不具合があった。
【０００７】
本発明はこのような事情を考慮してなされたものであり、その目的とするところは、アンテナ間の干渉による通信品質の低下を抑えて良好な通信品質を実現することが可能な無線受信機を提供することにある。
【００１０】
【課題を解決するための手段】
本発明は、主アンテナと副アンテナとを有していて、受信電界レベルが所定値以上である状態では前記主アンテナおよび副アンテナを選択的に使用してのダイバーシチ受信を行うが、受信電界レベルが前記所定値未満である弱電界状態では前記主アンテナを使用して受信を行う例えばＣＤＭＡ方式の無線受信機において、前記主アンテナのマッチングをとる主アンテナマッチング手段と、この主アンテナマッチング手段の共振周波数を変化させて前記主アンテナのマッチングをずらす主アンテナマッチングずらし手段と、前記弱電界状態となっていることを、例えば受信電界レベルの検出値や送信信号のレベルに基づいて検出する弱電界検出手段と、この弱電界検出手段により前記弱電界状態となっていることが検出されていないときに前記主アンテナマッチングずらし手段を動作させる主アンテナマッチングずらし制御手段とを備えた。
【００１１】
このような手段を講じたことにより、弱電界状態ではないとき、すなわちある程度の受信電界が確保できる状態では、主アンテナのマッチングが主アンテナマッチングずらし手段によってずらされる。従って、主アンテナによる副アンテナへの干渉が低減され、副アンテナのアンテナ効率が向上する。
【００１２】
【発明の実施の形態】
以下、図面を参照して本発明の実施形態につき説明する。
【００１３】
（第１の実施形態）
図１は本発明の第１実施形態に係る無線受信機を適用して構成されたＣＤＭＡ携帯電話端末の要部構成を示すブロック図である。
【００１４】
この図に示すように本実施形態のＣＤＭＡ携帯電話端末は、主アンテナとしてのホイップアンテナ１、主アンテナマッチング手段としての第１マッチング回路２、アンテナ共用器（ＤＵＰ）３、副アンテナとしての内蔵アンテナ４、副アンテナマッチング手段としての第２マッチング回路５、バンドパスフィルタ６、ダイバーシチスイッチ（ＳＷ）７、受信信号処理部８、送信信号処理部９、アイソレータ１０、送信レベル制御部１１、弱電界検出手段、主アンテナマッチングずらし制御手段および副アンテナマッチングずらし制御手段としてのダイバーシチ制御部１２、主アンテナマッチングずらし手段としての第１可変容量回路１３および副アンテナマッチングずらし手段としての第２可変容量回路１４を有している。
【００１５】
空間を介して到来した電波はホイップアンテナ１により受けられ、電気信号、すなわち受信信号が生成される。この受信信号は、第１マッチング回路２を介してアンテナ共用器３へと与えられる。そして受信信号は、アンテナ共用器３により受信帯域外の不要信号が取り除かれた上でダイバーシチスイッチ７へと与えられる。
【００１６】
また空間を介して到来した電波は内蔵アンテナ４によっても受けられ、電気信号、すなわち受信信号が生成される。この受信信号は、バンドパスフィルタ６により受信帯域外の不要信号が取り除かれた上でダイバーシチスイッチ７へと与えられる。
【００１７】
このようにダイバーシチスイッチ７へと与えられる２系統の受信信号は、ダイバーシチスイッチ７によりダイバーシチ制御部１２からの指示に応じていずれか一方が選択されて受信信号処理部８へと与えられる。そして受信信号は、増幅、周波数のダウンコンバート、あるいは復調などの周知の各種の処理が受信信号処理部８によりなされる。なお受信信号処理部８は、受信電界レベルの検出やフレームエラーレートの測定も行う。
【００１８】
一方、送信信号処理部９にて変調、周波数のアップコンバート、あるいは増幅などの周知の各種の処理がなされた送信信号は、アイソレータ１０を介してアンテナ共用器３に与えられ、ここの送信側フィルタにより送信帯域外の不要信号が取り除かれる。そして送信信号は、マッチング回路２を介してホイップアンテナ１へと供給され、このホイップアンテナ１より放射される。なお送信レベルは、送信信号処理部９での増幅の利得を送信レベル制御部１１が受信信号処理部８で検出された受信電界レベルに基づいて可変制御することで調整される。
【００１９】
ダイバーシチ制御部１２には、受信信号処理部８からフレームエラーレートや受信電界レベルが通知される。そしてダイバーシチ制御部１２は、基本的にはフレームエラーレートに基づいてダイバーシチスイッチ７の切換え制御を行う。ただしダイバーシチ制御部１２は、受信電界レベルに基づいて弱電界状態であるか否かを監視し、弱電界状態であるときにはダイバーシチスイッチ７の切換え制御を行わず、アンテナ共用器３からの受信信号を選択するようにダイバーシチスイッチ７を固定する。
【００２０】
またダイバーシチ制御部１２は、弱電界状態であるか否かに応じて第１可変容量回路１３および第２可変容量回路１４の状態をそれぞれ制御するための第１制御信号および第２制御信号を生成して出力する。
【００２１】
第１可変容量回路１３は、ホイップアンテナ１と第１マッチング回路２との接続点とグランドとの間に介挿されている。また第２可変容量回路１４は、内蔵アンテナ４と第２マッチング回路５との接続点とグランドとの間に介挿されている。そしてこれらの第１可変容量回路１３および第２可変容量回路１４はそれぞれ、バリキャップダイオードやピンダイオードなどの可変容量素子とバイアス回路などを備えて構成されていて、第１制御信号および第２制御信号のレベルに応じた２状態を選択的にとる。
【００２２】
次に以上のように構成されたＣＤＭＡ携帯電話端末の動作につき説明する。なお、電話通信などの通信を実現するための基本的な動作は従来よりある同種の端末と同様であるのでその説明は省略し、ここではダイバーシチ制御部１２によるアンテナダイバーシチのための制御動作を中心に説明することとする。
【００２３】
まずダイバーシチ制御部１２は、受信信号処理部８から通知される受信電界レベルに基づいて、この受信電界レベルが例えば１０〜１５ｄＢμ程度である弱電界状態にあるか否かを監視している。
【００２４】
ここで弱電界状態ではないことが確認されたならばダイバーシチ制御部１２は、受信信号処理部８から通知されるフレームエラーレートを監視し、このフレームエラーレートに基づいて受信状態を判断し、受信状態が一定レベルよりも悪化したならばダイバーシチスイッチ７に選択する信号を変更させる。
【００２５】
これに対して弱電界状態であることが確認されたならばダイバーシチ制御部１２は、ダイバーシチスイッチ７をアンテナ共用器３から与えられる受信信号を選択する状態に固定する。すなわちダイバーシチ制御部１２は、弱電界状態ではホイップアンテナ１のみを固定的に使用するように制御する。
【００２６】
以上がアンテナダイバーシチを実現するための基本的な制御処理であるが、この処理と並行してダイバーシチ制御部１２は、図２に示すようなマッチング制御処理を所定の時間間隔毎などの所定のタイミング毎に繰り返し実行する。
【００２７】
このマッチング制御処理においてダイバーシチ制御部１２はまず、弱電界状態であるか否かを確認する（ステップＳＴ１）。
【００２８】
ここで弱電界状態になっているならばダイバーシチ制御部１２は続いて、第１制御信号が現在、Ｈレベルであるか否かを確認する（ステップＳＴ２）。そして第１制御信号がＨレベルとなっているならばダイバーシチ制御部１２は、第１制御信号をＬレベルに、また第２制御信号をＨレベルにそれぞれ変更し（ステップＳＴ３）、これをもって今回のマッチング制御処理を終了する。しかし、第１制御信号がＬレベルとなっているならばダイバーシチ制御部１２は、ステップＳＴ３の処理をパスしてそのまま今回のマッチング制御処理を終了する。
【００２９】
このようにダイバーシチ制御部１２は、弱電界状態であるならば第１制御信号をＬレベルに、また第２制御信号をＨレベルにそれぞれしておく。
【００３０】
さて、第１制御信号がＬレベルとされていると第１可変容量回路１３は、ホイップアンテナ１と第１マッチング回路２との接続点とグランドとの間の静電容量を第１値とする。この第１値は、第１マッチング回路２の共振周波数をホイップアンテナ１の効率を十分に大きくする周波数に設定し得る値である。すなわち、第１制御信号がＬレベルとされているときには、第１可変容量回路１３は第１マッチング回路２をマッチングがあった状態とさせるのである。
【００３１】
また、第２制御信号がＨレベルとされていると第２可変容量回路１４は、内蔵アンテナ４と第２マッチング回路５との接続点とグランドとの間の静電容量を第２値とする。この第２値は、第２マッチング回路５の共振周波数を内蔵アンテナ４の効率をある程度低下させる周波数に設定し得る値である。すなわち、第２制御信号がＨレベルとされているときには、第２可変容量回路１４は第２マッチング回路５をマッチングをある程度ずらした状態とさせるのである。
【００３２】
このように、第１マッチング回路２はマッチングがあった状態となっているから、ホイップアンテナ１は十分に大きな効率で動作可能である。さらに第２マッチング回路５はマッチングがずれた状態となっているから、内蔵アンテナ４によるホイップアンテナ１に対する干渉は低減される。具体的には、内蔵アンテナ４のマッチング状態の変化にともなうホイップアンテナ１および内蔵アンテナ４のアンテナ効率の変化は図３に示すような特性となるが、内蔵アンテナ４のアンテナ効率が低下するように内蔵アンテナ４のマッチングをＭ２で示すようにずらしていることで、ホイップアンテナ１のアンテナ効率を低下させることがないのである。
【００３３】
この結果、例えばホイップアンテナ１および内蔵アンテナ４がともにマッチングがあった状態にある時の各アンテナにおける受信電界レベルの変化が図４に破線Ａ１−２およびＡ２−２で示すような変化を示す状況を考えると、本実施形態により内蔵アンテナ４の受信電界レベルは図４に実線Ａ２−１に示すように低下され、ホイップアンテナ１の受信電界レベルは実線Ａ１−１に示すように上昇される。そしてこの時は弱電界状態であって、ホイップアンテナ１のみが連続的に使用されるのであるから、内蔵アンテナ４の受信電界レベルの低下は通信品質にはなんら影響せず、ホイップアンテナ１の受信電界レベルの上昇によって通信品質の向上が達成される。
【００３４】
一方、弱電界状態ではないことをステップＳＴ１にて確認したならばダイバーシチ制御部１２は続いて、第１制御信号が現在、Ｌレベルであるか否かを確認する（ステップＳＴ４）。そして第１制御信号がＬレベルとなっているならばダイバーシチ制御部１２は、第１制御信号をＨレベルに、また第２制御信号をＬレベルにそれぞれ変更し（ステップＳＴ５）、これをもって今回のマッチング制御処理を終了する。しかし、第１制御信号がＨレベルとなっているならばダイバーシチ制御部１２は、ステップＳＴ５の処理をパスしてそのまま今回のマッチング制御処理を終了する。
【００３５】
このようにダイバーシチ制御部１２は、弱電界状態ではないならば第１制御信号をＨレベルに、また第２制御信号をＬレベルにそれぞれしておく。
【００３６】
さて、第１制御信号がＨレベルとされていると第１可変容量回路１３は、ホイップアンテナ１と第１マッチング回路２との接続点とグランドとの間の静電容量を第２値とする。この第２値は、第１マッチング回路２の共振周波数をホイップアンテナ１の効率をある程度低下させる周波数に設定し得る値である。すなわち、第１制御信号がＨレベルとされているときには、第１可変容量回路１３は第１マッチング回路２をマッチングをある程度ずらした状態とさせるのである。
【００３７】
また、第２制御信号がＬレベルとされていると第２可変容量回路１４は、内蔵アンテナ４と第２マッチング回路５との接続点とグランドとの間の静電容量を第１値とする。この第１値は、第２マッチング回路５の共振周波数を内蔵アンテナ４の効率を十分に大きく設定し得る値である。すなわち、第２制御信号がＬレベルとされているときには、第２可変容量回路１４は第２マッチング回路５をマッチングがあった状態とさせるのである。
【００３８】
このように、第２マッチング回路２はマッチングがあった状態となっているから、内蔵アンテナ４は十分に大きな効率で動作可能である。さらに第１マッチング回路２はマッチングがずれた状態となっているから、ホイップアンテナ１による内蔵アンテナ４に対する干渉は低減される。
【００３９】
この結果、例えばホイップアンテナ１および内蔵アンテナ４がともにマッチングがあった状態にある時の各アンテナにおける受信電界レベルの変化が図５に破線Ａ１−４およびＡ２−４で示すような変化を示す状況を考えると、本実施形態によりホイップアンテナ１の受信電界レベルは図５に実線Ａ１−３に示すように低下され、内蔵アンテナ４の受信電界レベルは実線Ａ２−３に示すように上昇される。そしてこの時は弱電界状態ではないのであって、ホイップアンテナ１および内蔵アンテナ４が適宜切換えられて使用されるのであるから、内蔵アンテナ４の受信電界レベルが上昇していることによってダイバーシチ効果が上がり、通信品質が向上する。なお、ホイップアンテナ１はマッチング状態での利得が内蔵アンテナ４に比べて十分に高く、しかも中電界状態または強電界状態であることから、多少アンテナ効率が低下しても十分な受信電界強度が得られるのであり、通信品質に大きくは影響しない。
【００４０】
以上のように本実施形態によれば、弱電界状態では不使用となる内蔵アンテナ４のマッチングをずらすようにしているので、内蔵アンテナ４によるホイップアンテナ１への干渉を低減して、ホイップアンテナ１のアンテナ効率を十分に確保し、良好な通信品質を得ることが可能となる。
【００４１】
また本実施形態によれば、弱電界状態ではなくホイップアンテナ１および内蔵アンテナ４を選択使用するときにはホイップアンテナ１のマッチングをずらすようにしているので、もともとのアンテナ効率が低い内蔵アンテナ４のアンテナ効率を十分に確保し、これによりダイバーシチ効果を十分に発揮して良好な通信品質を得ることが可能となる。
【００４２】
（第２の実施形態）
図６は本発明の第２実施形態に係る無線受信機を適用して構成されたＣＤＭＡ携帯電話端末の要部構成を示すブロック図である。なお、図１と同一部分には同一符号を付し、その詳細な説明は省略する。
【００４３】
この図に示すように本実施形態のＣＤＭＡ携帯電話端末は、ホイップアンテナ１、第１マッチング回路２、アンテナ共用器３、内蔵アンテナ４、第２マッチング回路５、バンドパスフィルタ６、ダイバーシチスイッチ７、受信信号処理部８、送信信号処理部９、アイソレータ１０、送信レベル制御部１１、第１可変容量回路１３、第２可変容量回路１４、ダイバーシチ制御部２１、整流ダイオード２２、電圧比較器２３および論理反転回路２４を有している。
【００４４】
すなわち本実施形態のＣＤＭＡ携帯電話端末は、前記第１実施形態のＣＤＭＡ携帯電話端末におけるダイバーシチ制御部１２に代えてダイバーシチ制御部２１を設けるとともに、さらに整流ダイオード２２、電圧比較器２３および論理反転回路２４を備えて構成されている。
【００４５】
ダイバーシチ制御部２１は、ダイバーシチ制御部１２と同様にダイバーシチスイッチ７を制御する機能を有する。しかしダイバーシチ制御部２１はダイバーシチ制御部１２とは異なり、第１制御信号および第２制御信号を生成して第１可変容量回路１３および第２可変容量回路１４を制御する機能は有していない。
【００４６】
整流ダイオード２２には、送信信号処理部９から出力される送信信号が入力される。そして整流ダイオード２２は、この入力される送信信号を整流して、送信信号レベルに応じた直流電圧を得る。
【００４７】
電圧比較器２３は、整流ダイオード２２により得られた直流電圧を所定の参照電圧と比較し、整流ダイオード２２により得られた直流電圧のほうが小さい場合にＬレベルを、またそれ以外のときにＨレベルをそれぞれ出力する。この電圧比較器２３の出力は、そのまま第２制御信号として第２可変容量回路１４へと与えられる。また電圧比較器２３の出力は、論理反転回路２４により論理が反転された上で第１制御信号として第１可変容量回路１３へと与えられる。
【００４８】
かくしてこのような構成によれば、送信電力レベルが所定レベル以上となっているときに整流ダイオード２２により得られた直流電圧が参照電圧以上となって、第２制御信号がＨレベルに、また第１制御信号がＬレベルにそれぞれなる。
【００４９】
また送信電力レベルが所定レベルよりも小さいときに整流ダイオード２２により得られた直流電圧が参照電圧よりも小さくなって、第２制御信号がＬレベルに、また第１制御信号がＨレベルにそれぞれなる。
【００５０】
ここで送信電力レベルは、送信レベル制御部１１により受信信号処理部８で検出された受信電界レベルにほぼ反比例するよう制御されている。このため、参照値をこの送信電力レベル制御のパラメータなどを考慮して適切に設定しておくことで、弱電界状態で第２制御信号がＨレベルに、また第１制御信号がＬレベルにし、また弱電界ではない状態で第２制御信号がＬレベルに、また第１制御信号がＨレベルにすることができる。
【００５１】
そしてこの結果、前記第１実施形態と同様にして良好な通信品質を得ることが可能となる。
【００５２】
このように本実施形態では、整流ダイオード２２、電圧比較器２３および論理反転回路２４により弱電界検出手段、主アンテナマッチングずらし制御手段および副アンテナマッチングずらし制御手段が達成し、かつ弱電界状態であるか否かの判断を送信電力レベルに基づいて行うように前記第１実施形態から変更したものである。
【００５３】
なお、本第２実施形態と前記第１実施形態とを比較すると、通常は受信電界レベルの検出が例えば３９２μｓ間隔で短周期で行われているのに対して、送信電力レベルの決定は受信電界レベルの検出値を例えば２６ｍｓ間隔で平均化した値に基づいて行われることから、前記第１実施形態のほうがフェージング変動などに追従してマッチング制御を行うことが可能なために精度がより高くなる。しかしながら、前記第１実施形態ではこのような高速のマッチング制御に追従し得るように第１マッチング回路２、第２マッチング回路５、第１可変容量回路１３および第２可変容量回路１４を高速に動作状態を切換えられるように構成しておく必要があるが、本第２実施形態によれば第１マッチング回路２、第２マッチング回路５、第１可変容量回路１３および第２可変容量回路１４は前記第１実施形態に比べて低速に動作できれば良く、比較的簡易に実現可能となる。
【００５４】
なお本発明は前記各実施形態に限定されるものではない。例えば前記各実施形態では、主アンテナとしてホイップアンテナ１を、また副アンテナとして内蔵アンテナ４をそれぞれ備えることとしているが、各アンテナの種類はおのおの任意である。
【００５５】
また前記各実施形態では、ホイップアンテナ１および内蔵アンテナ４の双方に関してそれぞれマッチング制御を行うようにしているが、いずれか一方のみとしても良い。特にホイップアンテナ１に関してのマッチング制御は、ホイップアンテナ１のアンテナ効率が低くなり過ぎない範囲で行うべきであり、条件によっては行うことが好ましくない場合もある。
【００５６】
また前記各実施形態では、本発明に係る無線受信機をＣＤＭＡ携帯電話端末に適用した例を示しているが、本発明の無線受信機は他の様々な種類の無線通信装置に適用が可能である。そして通信方式もＣＤＭＡ方式には限らない。
【００５７】
また前記第１実施形態では、マッチング制御をソフトウェア処理により実現することとしているが、前記第２実施形態に示した整流ダイオード２２、電圧比較器２３および論理反転回路２４によりなる制御系と同様な構成を用いるなどのようにハードウェア処理により実現することも可能である。
【００５８】
また前記第２実施形態では、マッチング制御をハードウェア処理により実現することとしているが、ダイバーシチ制御部２１または別に設けた制御部によるソフトウェア処理により実現することも可能である。
【００５９】
このほか、本発明の要旨を逸脱しない範囲で種々の変形実施が可能である。
【００６０】
【発明の効果】
本発明によれば、弱電界状態では、使用されない副アンテナのマッチングを副アンテナマッチング手段によってずらすこととしたので、副アンテナによる主アンテナへの干渉が低減され、主アンテナのアンテナ効率が向上することとなり、この結果、アンテナ間の干渉による通信品質の低下を抑えて良好な通信品質を実現することが可能となる。
【００６１】
また本発明によれば、弱電界状態ではないとき、すなわちある程度の受信電界が確保できる状態では、主アンテナのマッチングを主アンテナマッチングずらし手段によってずらすこととしたので、主アンテナによる副アンテナへの干渉が低減され、副アンテナのアンテナ効率が向上することとなり、この結果、ダイバーシチ効果が向上することとなって、アンテナ間の干渉による通信品質の低下を抑えて良好な通信品質を実現することが可能となる。
【図面の簡単な説明】
【図１】本発明の第１実施形態に係る無線受信機を適用して構成されたＣＤＭＡ携帯電話端末の要部構成を示すブロック図。
【図２】図１中のダイバーシチ制御部１２によるマッチング制御処理の際の処理手順を示すフローチャート。
【図３】内蔵アンテナ４のマッチング状態の変化にともなうホイップアンテナ１および内蔵アンテナ４のアンテナ効率の変化を示す図。
【図４】弱電界状態における各アンテナでの受信電界レベルの変化の様子の一例を示す図。
【図５】弱電界状態ではないときにおける各アンテナでの受信電界レベルの変化の様子の一例を示す図。
【図６】本発明の第２実施形態に係る無線受信機を適用して構成されたＣＤＭＡ携帯電話端末の要部構成を示すブロック図。
【符号の説明】
１…ホイップアンテナ
２…第１マッチング回路
３…アンテナ共用器（ＤＵＰ）
４…内蔵アンテナ
５…第２マッチング回路
６…バンドパスフィルタ
７…ダイバーシチスイッチ（ＳＷ）
８…受信信号処理部
９…送信信号処理部
１０…アイソレータ
１１…送信レベル制御部
１２…ダイバーシチ制御部
１３…第１可変容量回路
１４…第２可変容量回路
２１…ダイバーシチ制御部
２２…整流ダイオード
２３…電圧比較器
２４…論理反転回路
【図１】
0004598978.tif 000002
【図２】
0004598978.tif 000003
【図３】
0004598978.tif 000004
【図４】
0004598978.tif 000005
【図５】
0004598978.tif 000006
【図６】
0004598978.tif 000007